(57)【要約】【課題】電気泳動を使用したディスプレイ装置用光学フィルムを開示する。【解決手段】光学フィルムは、セル（ｃｅｌｌ）を区画された隔壁を含む透明基材と、セル内部に充填され、帯電した顔料粒子及び顔料粒子を分散させる誘電溶媒からなる電気泳動分散液と、セル前方にセルごとに少なくとも１個以上ずつ形成された前面電極と、セル後方にセルごとに形成された第１及び第２面内（Ｉｎ−Ｐｌａｎｅ）電極、及びセル後方にセルごとに少なくとも１個以上ずつ形成されて、第１及び第２面内電極の間に位置する後面電極とを含む。【選択図】図１
2009128915.tif 000002
【特許請求の範囲】
【請求項１】
ディスプレイ装置のディスプレイパネルの前方に配置されるディスプレイ装置用光学フィルムであって、
複数のセルに区画する隔壁を含む透明基材と、
前記セル内部に充填された電気泳動分散液、及び
前記電気泳動分散液に電気泳動電圧を印加する電極と、を含むことを特徴とする、電気泳動を使用したディスプレイ装置用光学フィルム。
【請求項２】
前記電極は、第１及び第２面内（Ｉｎ−Ｐｌｎａｅ）電極を含むことを特徴とする、請求項１に記載の電気泳動を使用したディスプレイ装置用光学フィルム。
【請求項３】
前記ディスプレイパネルの作動時に、前記第１及び第２面内電極には互いに異なる極性の電圧が印加されることを特徴とする、請求項２に記載の電気泳動を使用したディスプレイ装置用光学フィルム。
【請求項４】
前記第１及び第２面内電極を、各セルに具備することを特徴とする、請求項２に記載の電気泳動を使用したディスプレイ装置用光学フィルム。
【請求項５】
前記第１及び第２面内電極が、前記セルの後方に配置されることを特徴とする、請求項２に記載の電気泳動を使用したディスプレイ装置用光学フィルム。
【請求項６】
前記第１面内電極が各セルに少なくとも一つ配置され、
前記第２面内電極が各セルに少なくとも一つ配置され、
前記電極は、各セルの前方に少なくとも一つ配置された前面電極、及び各セルの後方に少なくとも一つ配置されると共に前記第１及び第２面内電極の間に位置する後面電極を具備することを特徴とする、請求項５に記載の電気泳動を使用したディスプレイ装置用光学フィルム。
【請求項７】
前記電極は、各セルの前方に少なくとも一つ配置された前面電極、及び各セルの後方に少なくとも一つ配置された後面電極を具備することを特徴とする、請求項１に記載の電気泳動を使用したディスプレイ装置用光学フィルム。
【請求項８】
前記光学フィルムの前方に配置されたカラーフィルターをさらに含む、請求項１に記載の電気泳動を使用したディスプレイ装置用光学フィルム。
【請求項９】
前記カラーフィルターは、各セルに対応して赤色、緑及び青色のいずれか一つの色相を有することを特徴とする、請求項８に記載の電気泳動を使用したディスプレイ装置用光学フィルム。
【請求項１０】
前記透明基材の隔壁の断面が台形であることを特徴とする、請求項１に記載の電気泳動を使用したディスプレイ装置用光学フィルム。
【請求項１１】
複数の前記セルは、マトリックス形態に区画されることを特徴とする、請求項１に記載のディスプレイ装置用光学フィルム。
【請求項１２】
前記電気泳動分散液は、前記電気泳動分散液の中に分散した、帯電した着色粒子を含むことを特徴とする、請求項１に記載の電気泳動を使用したディスプレイ装置用光学フィルム。
【請求項１３】
前記電気泳動分散液は、誘電（ｄｉｅｌｅｃｔｒｉｃ）溶媒を含み、前記帯電した着色粒子は、前記誘電溶媒に分散していることを特徴とする、請求項１２に記載の電気泳動を使用したディスプレイ装置用光学フィルム。
【請求項１４】
前記帯電した着色粒子は、互いに異なる極性に帯電され、互いに異なる色を有する第１着色粒子及び第２着色粒子を含むことを特徴とする、請求項１２に記載の電気泳動を使用したディスプレイ装置用光学フィルム。
【請求項１５】
前記第１着色粒子は黒色粒子で、前記第２着色粒子は白色粒子であることを特徴とする、請求項１４に記載の電気泳動を使用したディスプレイ装置用光学フィルム。
【請求項１６】
複数のセルに区画する隔壁を含む透明基材と、前記セル内部に充填された電気泳動分散液、及び前記電気泳動分散液に電気泳動電圧を印加する電極と、を含む電気泳動を使用したディスプレイ装置用光学フィルムと、
反射防止層、透明基板、電磁波遮蔽層、近赤外線遮蔽層、色補正層、アンチグレア層、アンチフォグ層及びハードコーティング層の少なくとも一つの層と、を含み、
前記光学フィルムと前記少なくとも一つの層が積層されていることを特徴とするディスプレイ装置用フィルター。
【発明の詳細な説明】
【技術分野】
【０００１】
本願は、２００７年１１月２６日に出願された韓国特許出願第２００７−０１２１０６０号の優先権を主張し、この開示内容は援用により本明細書の一部をなす。本発明は、ディスプレイ装置に具備される電気泳動を使用したディスプレイ装置用光学フィルム及びそれを具備するディスプレイ装置用フィルターに関するものである。
【背景技術】
【０００２】
最近、ディスプレイ装置を代表していた陰極線管（Ｃａｔｈｏｄｅ  Ｒａｙ  Ｔｕｂｅ：ＣＲＴ）が液晶ディスプレイ（Ｌｉｑｕｉｄ  Ｃｒｙｓｔａｌ  Ｄｉｓｐｌａｙ：ＬＣＤ）、電界放出ディスプレイ（Ｆｉｅｌｄ  Ｅｍｉｓｓｉｏｎ  Ｄｉｓｐｌａｙ：ＦＥＤ）、有機電界発光ディスプレイ（Ｏｒｇａｎｉｃ  Ｌｉｇｈｔ  Ｅｍｉｔｔｉｎｇ  Ｄｉｓｐｌａｙ：ＯＬＥＤ）及びプラズマディスプレイ装置などの平板ディスプレイ（Ｆｌａｔ  Ｐａｎｅｌ  Ｄｉｓｐｌａｙ：ＦＰＤ）装置に代替されてきている。
【０００３】
その中で、プラズマディスプレイ装置は、他の平板ディスプレイ装置に比べて輝度、コントラスト、残像及び視野角などの表示能力が優秀であるため脚光を浴びている。以下では、プラズマディスプレイ装置を例に挙げて説明する。
【０００４】
背景技術によるプラズマディスプレイ装置は、プラズマディスプレイパネルを含み、このプラズマディスプレイパネルの二つの電極の間に介在したガスの放電時に発生する紫外線が蛍光体を励起させることによって発光する現象を使用して画像を表示する。
【０００５】
しかしながら、プラズマディスプレイ装置の画像表示原理及び作動特性上、プラズマディスプレイ装置は、電磁波及び近赤外線を大量に放出するという問題点があり、これらの電磁波及び近赤外線は人体に有害であるかも知れず、またリモートコントローラーなどの器機の誤動作を誘発し得る。
【０００６】
これを解決するために、プラズマディスプレイパネルの前方に電磁波及び近赤外線遮蔽機能を有するディスプレイ装置用フィルターを配置している。更に、ディスプレイ装置用フィルターは、上述の電磁波及び近赤外線遮蔽機能だけではなく色純度も向上、表面反射防止及びコントラスト比向上などの多様な機能が要求されていて、これらを同時に満足させるディスプレイ装置用フィルターが製造されている。
【０００７】
通常、上述の機能を満足させるため、ディスプレイ装置用フィルターは、電磁波遮蔽フィルム、近赤外線遮蔽フィルム、色補正フィルム、反射防止フィルム及び外光遮蔽フィルムなどのそれぞれ単一機能を遂行する複数の光学フィルムを、結合剤または接着剤によって積層することにより製造される。その中で、外光遮蔽フィルムは、外部環境光を遮蔽するもので、プラズマディスプレイ装置のコントラスト比を向上させることができる。
【０００８】
しかし、外光遮蔽フィルムは、プラズマディスプレイ装置が作動しない場合にも外部環境光を吸収するので、プラズマディスプレイ装置は、非作動時に黒色を示し、これは美観上良くないことがある。
【０００９】
更に、最近プラズマディスプレイ装置は、プラズマディスプレイパネル作動時のディスプレイ機能に加えて、プラズマディスプレイパネル非作動時に少ない電源で電子額縁のような絵や天気などの情報を表示することができる機能が求められている。
【発明の開示】
【発明が解決しようとする課題】
【００１０】
したがって、本発明が解決しようとする課題は、ディスプレイ装置作動時には外部環境光を遮蔽することができ、ディスプレイ装置非作動時には情報表示素子としての機能を果たせる電気泳動を使用したディスプレイ装置用光学フィルムを提供することである。
【００１１】
本発明が解決しようとする他の課題は、以上で言及した課題に制限されず、言及されなかった他の課題は、下記の記載から本発明が属する技術分野の当業者に明確に理解されるだろう。
【課題を解決するための手段】
【００１２】
解決しようとする課題を達成するための本発明の一実施例による電気泳動を使用したディスプレイ装置用光学フィルムは、セル（ｃｅｌｌ）を区画した隔壁を含む透明基材；セル内部に充填され、帯電した着色粒子、例えば顔料粒子及びそれらを分散させる誘電溶媒からなる電気泳動分散液；セル前方にセルごとに少なくとも１個以上ずつ形成された前面電極；セル後方にセルごとに配置された第１及び第２面内（Ｉｎ−Ｐｌａｎｅ）電極；及びセル後方にセルごとに少なくとも１個以上ずつ配置されると共に、第１及び第２面内電極の間に位置する後面電極を含む。
【００１３】
その他の実施例の具体的な事項は、詳細な説明及び図面に含まれている。本発明の利点及び特徴、そしてそれらを達成する方法は、添付図面と共に詳細に後述されている実施例を参照すると明確になる。
【発明の効果】
【００１４】
本発明による電気泳動を使用したディスプレイ装置用光学フィルムは、各電極間の電界によって外光を遮蔽したり情報表示素子としての機能を遂行したりすることができる。
【発明を実施するための最良の形態】
【００１５】
以下、添付した図面を参照して、本発明の一実施例による電気泳動を使用したディスプレイ装置用光学フィルムに対して詳しく説明する。ここで、明細書全体にわたって同一参照符号は、同一構成要素を示す。
【００１６】
本発明の一実施例による電気泳動を使用したディスプレイ装置用光学フィルムは、単独で液晶ディスプレイ、電界放出ディスプレイ、有機電界発光ディスプレイ及びプラズマディスプレイ装置に具備することができるが、それに限らない。光学フィルムは、他の光学フィルム、例えば、電磁波遮蔽フィルム、近赤外線遮蔽フィルム、色補正フィルム、反射防止フィルムなどと接合した形態で、ディスプレイ装置に具備してよい。
【００１７】
図１は、本発明の一実施例による電気泳動を使用したディスプレイ装置用光学フィルムを示した断面図で、具体的に、図１の（ａ）は光学フィルムが外光遮蔽機能を遂行することを示し、図１の（ｂ）は光学フィルムが情報表示素子としての機能を遂行することを示す。
【００１８】
図１を参照すると、本発明の一実施例による電気泳動を使用したディスプレイ装置用光学フィルム１００は、透明基材１１０、電気泳動分散液１２０、前面電極１３０、第１及び第２面内（Ｉｎ−Ｐｌａｎｅ）電極１４０、１４２、及び後面電極１５０を含む。また、光学フィルム１００は、封止膜１６０及び第１及び第２平坦化膜１７０、１７２をさらに含むことができる。
【００１９】
透明基材１１０は、透明性がある光硬化性樹脂を含むことができる。ここで、光硬化性樹脂としては、例えば、多官能基アクリレート、メタクリレート、ビニルエーテル、エポキシド、それらのオリゴマーまたはポリマーなどを使用することができる。
【００２０】
透明基材１１０は、セル（ｃｅｌｌ）に区画された隔壁１１２を含むことができる。隔壁１１２は、図１及び図２に図示された断面は台形であることができ、平面はメッシュ形状に形成することができる。これによって、セルは四角カップ形状を有してマトリックス形態に配列することができる。一方、隔壁１１２は、図１及び図２の断面と垂直の断面で台形、長方形及び正四角形などの中のいずれか一つであっても構わないし、本発明がそれに限定されるものではない。さらに、隔壁及びセルの形状は、位置ごとに互いに異なることもできる。
【００２１】
隔壁１１２は、透明基材１１０の光硬化性樹脂を透明基板上に塗布した後、マイクロエンボシング（ｍｉｃｒｏｅｍｂｏｓｓｉｎｇ）ローラーを使用してコーティングされた光硬化性樹脂を圧着した後、これを硬化させることで形成することができる。
【００２２】
電気泳動分散液１２０は、隔壁１１２に区画されたセル内部に充填され、顔料粒子１２２及び誘電溶媒１２４からなることができる。しかし、本発明がこれに限定されるのではない。例えば、顔料粒子の代わりに染料粒子など色を帯びた他の粒子を使用することができる。
【００２３】
また、顔料粒子１２２は、固有の電荷を示すが、荷電制御剤（ｃｈａｒｇｅ  ｃｏｎｔｒｏｌ  ａｇｅｎｔ）によって陽電荷または陰電荷に帯電することができる。このために、顔料粒子１２２は、所定電界によって誘電溶媒１２４内で移動することができる。
【００２４】
顔料粒子１２２は、少なくとも１色以上を有する。例えば、顔料粒子は、黒色顔料粒子１２２ａ及び白色顔料粒子１２２ｂを含むことができる。黒色顔料粒子１２２ａとしては、例えば、アニリンブラック、カーボンブラック、チタンブラック粒子の中から１種以上を使用することができる。また、白色顔料粒子１２２ｂには、例えば、二酸化チタン、三酸化アンチモン、硫酸バリウム、硫化亜鉛、二酸化珪素粒子の中から１種以上を使用することができる。一方、顔料粒子１２２は、黄色顔料粒子、赤色顔料粒子、緑顔料粒子及び青色顔料粒子の中から少なくともいずれか一つをさらに含むことができるが、以下では説明の便利性のために顔料粒子１２２が陰電荷に帯電した黒色顔料粒子１２２ａ及び陽電荷に帯電した白色顔料粒子１２２ｂからなる場合を例に挙げて説明する。
【００２５】
誘電溶媒１２４は、帯電した顔料粒子１２２を分散させる役割をする。誘電溶媒１２４は、顔料粒子１２２の移動度を高めるために低い粘性を有することができる。誘電溶媒１２４には、例えば、デカヒドロナプタレン、５−エチリデン−２−ノルボルネン、脂肪性オイル、パラフィンオイルなどの炭化水素；トルエン、キシレン、フェニルシリルエタン、ドデシルベンゼン、アルキルナフタレンなどの芳香族炭化水素；パーフルオロデカリン、パーフルオロトルエン、パーフルオロキシレン、ジクロロベンゾトリフルオライド、３，４，５−トリクロロベンゾトリフルオライド、クロロペンタフルオロベンゼン、ジクロロノネン、ペンタクロロベンゼンなどのハロゲン溶媒からなる群の中から１種以上を使用することができる。
【００２６】
前面電極１３０は、セル前方にセルごとに少なくとも１個以上ずつ形成することができるが、これに限らない。一例として、前面電極１３０はセル前方全面にわたって一体化された形態に形成することができる。
【００２７】
前面電極１３０は、外部から所定電圧を印加したり接地することができる。前面電極１３０は、透明導電性物質を含むことができる。透明導電性物質には、例えば、インジウムスズ酸化物（Ｉｎｄｉｕｍ  Ｔｉｎ  Ｏｘｉｄｅ：ＩＴＯ）またはインジウム亜鉛酸化物（Ｉｎｄｉｕｍ  Ｚｉｎｃ  Ｏｘｉｄｅ：ＩＺＯ）などがある。
【００２８】
第１及び第２面内電極１４０、１４２それぞれは、セル後方にセルごとに形成することができる。ここで、第１及び第２面内電極１４０、１４２それぞれは、隔壁１１２と接するように形成することができる。すなわち、第１及び第２面内電極１４０、１４２それぞれは、セル端と対応した領域に形成することができる。
【００２９】
しかし、本発明がこれに限定されるのではない。例えば、第１及び第２面内電極は、セルの前方に形成することもできる。この場合、楔形状の底面が前方、すなわち視聴者側を向くようになる。また、ある一つのセルに第１面内電極を形成して、隣接する他のセルに第２面内電極を形成することも可能である。
【００３０】
第１及び第２面内電極は、各セル当たり一つずつ形成することが一般的であるが、本発明がこれに限定されるものではない。
【００３１】
第１及び第２面内電極１４０、１４２それぞれは、外部から所定電圧の印加を受けて第１及び第２面内電極１４０、１４２の間に横電界を形成することができる。同時に、第１及び第２面内電極１４０、１４２それぞれは、外部から所定電圧の印加を受けて前面電極１３０と垂直電界を形成することができる。第１及び第２面内電極１４０、１４２それぞれは、透明導電性物質または不透明金属物質を含むことができるが、製造工程上、後面電極１５０と同一材質で形成することが有利である。
【００３２】
後面電極１５０は、セル後方にセルごとに少なくとも１個以上ずつ形成して、第１及び第２面内電極１４０、１４２の間に位置することができる。ここで、各セル当たり後面電極１５０の個数が増加すると、光学フィルム１００が情報表示素子としての機能を遂行する場合に、階調表示能力を向上させることができる。
【００３３】
後面電極１５０は、外部から所定電圧の印加を受けて前面電極１３０と垂直電界を形成することができる。後面電極１５０は、透明導電性物質を含むことができる。透明導電性物質には、例えば、インジウムスズ酸化物（ＩＴＯ）またはインジウム亜鉛酸化物（ＩＺＯ）などがある。
【００３４】
封止膜１６０は、顔料粒子１２２が分散している誘電溶媒１２４を封止及び保護することができる。封止膜１６０は、光硬化性樹脂を含むことができる。ここで、光硬化性樹脂には、例えば、ポリバレントアクリレート、メタクリレート、シアノアクリレート、ビニルベンゼン、ポリバレントビニル、ポリバレントエポキシド、ポリバレントイソシアネート、ポリバレントアリルなどがある。
【００３５】
第１平坦化膜１７０は、第１及び第２面内電極１４０、１４２、及び後面電極１５０を覆うように形成され、光学フィルム１００の後面を平坦化することができる。
【００３６】
第２平坦化膜１７２は、前面電極１３０を覆うように形成され、前面電極１３０が形成された面を平坦化することができる。
【００３７】
透明基材１１０、誘電溶媒１２４、前面電極１３０、第１及び第２面内電極１４０、１４２、後面電極１５０、封止膜１６０及び平坦化膜１７０の屈折率は、同一または類似でよい。これは、各構成要素間の光反射を減らすためである。しかし、本発明が必ずこれに限定されるのではない。
【００３８】
前述の構成を有する光学フィルム１００は、図１の（ａ）に図示したように、ディスプレイパネル駆動時に外部環境光Ｌ１、Ｌ２を遮蔽することができる。
【００３９】
具体的に、第１面内電極１４０に陽電圧が印加され、第２面内電極１４２に陰電圧が印加されて、前面電極１３０と後面電極１５０に電圧が印加されない場合を例に挙げて説明する。
【００４０】
上述の場合、第１及び第２面内電極１４０、１４２の間では、横電界が形成され得る。横電界によって陰電荷に荷電された黒色顔料粒子１２２ａは、第１面内電極１４０上に移動して、陽電荷に荷電された白色顔料粒子１２２ｂは、第２面内電極１４２上に移動するようになる。すなわち、黒色顔料粒子１２２ａ及び白色顔料粒子１２２ｂそれぞれは、隔壁１１２方向に移動することができる。ここで、第１及び第２面内電極１４０、１４２から遠くなるほど、横電界の強さが弱くなるので、黒色顔料粒子１２２ａ及び白色顔料粒子１２２ｂそれぞれは、外観上楔形状を有するように群集することができ、横電界が除去されても顔料粒子１２２ａ、１２２ｂは、メモリー効果によって群集した形状を維持することができる。
【００４１】
ここで、外部環境光Ｌ１、Ｌ２の中で黒色顔料粒子１２２ａに入射する外部環境光Ｌ１は、黒色顔料粒子１２２ａに直ちに吸収される。また、外部環境光Ｌ１、Ｌ２の中で白色顔料粒子１２２ｂに入射する外部環境光Ｌ２は、白色顔料粒子１２２ｂによって遮断されたり、または散乱及び反射した後に隣接する黒色顔料粒子１２２ａに吸収され得る。同時に、後方から光学フィルム１００に入射するパネル入射光Ｌ３は、後面電極１５０が形成された領域を通じて前方に出射され得る。ここで、パネル入射光Ｌ３というのは、光学フィルム１００がディスプレイ装置に具備される時、ディスプレイパネル駆動によってディスプレイパネルから放出された光をいう。
【００４２】
一方、光学フィルム１００は、図１の（ｂ）に図示したように、ディスプレイパネル非駆動時、情報表示素子としての機能を遂行することができる。
【００４３】
具体的に、前面電極１３０、第１及び第２面内電極１４０、１４２、及び後面電極１５０それぞれに所定電圧が印加された場合を例に挙げて説明する。
【００４４】
上述の場合、前面電極１３０、及び第１及び第２面内電極１４０、１４２の間に垂直電界が形成されるのと同時に、前面電極１３０及び後面電極１５０の間に垂直電界が形成され得る。垂直電界によって黒色顔料粒子１２２ａ及び白色顔料粒子１２２ｂそれぞれは、セルの前方及び／または後方に移動することができ、垂直電界が除去されても顔料粒子１２２ａ、１２２ｂは、メモリー効果によって移動しないようにできる。
【００４５】
ここで、外部環境光Ｌ４、Ｌ５の中で前方が黒色顔料粒子１２２ａのみで成り立ったセルに入射する外部環境光Ｌ４は、黒色顔料粒子１２２ａによって直ちに吸収されるので、該当のセルは黒色を表示することができる。また、外部環境光Ｌ４、Ｌ５の中で前方が白色顔料粒子１２２ｂのみで成り立ったセルに入射する外部環境光Ｌ５は、白色顔料粒子１２２ｂによって散乱及び反射するので、該当のセルは白色を表示することができる。一方、前面電極１３０、第１及び第２面内電極１４０、１４２、及び後面電極１５０に印加される電圧を適切に調節して、セルの前方が黒色顔料粒子１２２ａ及び白色顔料粒子１２２ｂが混在するようにすると、階調表現が可能である。同時に、各セル当たりの後面電極１５０の個数を増加させることで、階調表示能力を向上させることができる。
【００４６】
上述したように、本発明の一実施例による電気泳動を使用したディスプレイ装置用光学フィルム１００は、ディスプレイパネル駆動時に外光遮蔽機能を遂行することだけではなく、ディスプレイパネル非駆動時に情報表示素子としての機能を遂行することができる。これは、顔料粒子１２２のメモリー効果によって低消費電力で具現可能であるという長所がある。
【００４７】
一方、図２は、本発明の一実施例による電気泳動を使用したディスプレイ装置用光学フィルムを示した断面図であり、具体的に、図２の（ａ）は光学フィルムが外光遮蔽機能を遂行することを示し、図２の（ｂ）は光学フィルムが情報表示素子としての機能を遂行することを示す。一方、図２に図示された光学フィルムは、カラーフィルターをさらに含むという点を除き、図１に図示された光学フィルムと同一なので、重複する説明は省略して、その特徴に対してのみ説明する。
【００４８】
図２を参照すると、本発明の一実施例による電気泳動を使用したディスプレイ装置用光学フィルム２００は、透明基材２１０、電気泳動分散液２２０、前面電極２３０、第１及び第２面内電極２４０、２４２、及び後面電極２５０を含む。また、光学フィルム２００は、封止膜２６０及び第１及び第２平坦化膜２７０、２７２をさらに含むことができる。また、光学フィルム２００は、カラーフィルター２８０をさらに含むことができる。ここで、透明基材２１０はセルを区画した隔壁２１２を含むことができ、電気泳動分散液２２０は顔料粒子２２２、例えば、陰電荷に帯電した黒色顔料粒子２２２ａ及び陽電荷に帯電した白色顔料粒子２２２ｂ、及び誘電溶媒２２４からなることができる。
【００４９】
カラーフィルター２８０は、前面電極２３０上に形成することができる。カラーフィルター２８０は、例えば、各セル当たり１つずつ形成された、赤、緑、青色カラーフィルター２８０Ｒ、２８０Ｇ、２８０Ｂを含むことができるが、これに限らない。カラーフィルター２８０は、フィルターを透過した赤、緑、青色光の加法混色（ａｄｄｉｔｉｖｅ  ｍｉｘｉｎｇ）を通じて色を表現することができる。
【００５０】
前述の構成を有する光学フィルム２００は、図２の（ａ）に図示したように、ディスプレイパネル駆動時に外部環境光Ｌ６、Ｌ７を遮蔽することができる。これは図１の（ａ）を参照した詳細な説明と同じである。ただし、図２の（ａ）では、後方から光学フィルム２００に入射するパネル入射光Ｌ８が、後面電極２５０が形成された領域を通じて前方へ出射する時に、カラーフィルター２８０を透過するようになるので、光学フィルム２００は、カラーイメージを具現することができる。
【００５１】
一方、光学フィルム２００は、図２の（ｂ）に図示したように、ディスプレイパネル非駆動時、情報表示素子としての機能を遂行することができる。これは、図１の（ｂ）を参照した詳細な説明と同じである。ただし、図２の（ｂ）では、外部環境光Ｌ９、Ｌ１０の中で前方が白色顔料粒子２２２ｂのみで成り立ったセルに入射する外部環境光Ｌ１０が、白色顔料粒子２２２ｂによって散乱及び反射した後、カラーフィルター２８０を透過するようになるので、該当セルが該当カラーフィルター２８０の色を表現することができる。
【００５２】
一方、前面電極２３０、第１及び第２面内電極２４０、２４２、及び後面電極２５０に印加される電圧を適切に調節して、セルの前方に黒色顔料粒子２２２ａ及び白色顔料粒子２２２ｂが混在するようにすると、階調表現が可能である。併せて、各セル当たり後面電極２５０の個数を増加させることで階調表示能力を向上させることができる。
【００５３】
上述したように、本発明の一実施例による電気泳動を使用したディスプレイ装置用光学フィルム２００は、ディスプレイパネル駆動時に外光遮蔽機能を遂行することのみならず、ディスプレイパネル非駆動時に情報表示素子としての機能を遂行することができる。これは顔料粒子２２２のメモリー効果によって低消費電力で具現可能であるという長所がある。
【００５４】
前述した、光学フィルムと共に本出願当時、すでに公知された他の機能性層を相互積層してディスプレイ装置用フィルターを製造することができる。ここで、他の機能性層には、反射防止層、透明基板、電磁波遮蔽層、近赤外線遮蔽層、色補正層、アンチグレア層、アンチフォグ層、ハードコーティング層、などの中から少なくとも一つ以上を含むことができる。ここで、各機能性層、そしてこれらを具備するディスプレイ装置用フィルターは、本出願当時すでに公知されているので、これに対する詳細な説明は省略する。さらに詳しい技術的構成は、プラズマディスプレイ装置用フィルター、ＬＣＤ装置用フィルター、など多様なディスプレイ装置用フィルターに対する技術文献から参照することができる。
【００５５】
以上、添付した図面を参照して本発明の実施例を説明したが、本発明が属する技術分野で通常の知識を有する者は、本発明がその技術的思想や必須な特徴を変更しなくても他の具体的な形態で実施され得ることを理解することができるだろう。
【００５６】
したがって、以上で記述した実施例は、本発明が属する技術分野で通常の知識を有する者に発明の範疇を完全に知らせるために提供するものなので、すべての面で例示的であり、限定的ではないことを理解しなければならないし、本発明は請求項の範疇によって定義されるのみである。
【図面の簡単な説明】
【００５７】
【図１】本発明の一実施例による電気泳動を使用したディスプレイ装置用光学フィルムを示した断面図である。
【図２】本発明の一実施例による電気泳動を使用したディスプレイ装置用光学フィルムを示した断面図である。
【符号の説明】
【００５８】
１００、２００：光学フィルム
１１０、２１０：透明基材
１２０、２２０：電気泳動分散液
１２２、２２２：顔料粒子
１２４、２２４：誘電溶媒
１３０、２３０：前面電極
１４０、２４０：第１面内電極
１４２、２４２：第２面内電極
１５０、２５０：後面電極
２８０：カラーフィルター
【図１】
2009128915.tif 000003
【図２】
2009128915.tif 000004